(57)【要約】【課題】表示画面の前面側と背面側の両方からのリモコン操作を可能とし、安価な構成で利便性に優れた表示装置を提供する。【解決手段】平板型の表示装置本体１は、前面に表示画面２を有し、その下側部には前面側に第１のリモコン受光部４が設けられ、背面側に第２のリモコン受光部１０が設けられている。また、回転台３は表示装置本体１を水平方向に回転可能に支持している。また、リモコン送信機８は、リモコン受光部４、１０に赤外線によるリモコン信号を送信する。そして、前後両方からリモコン操作を行い、表示装置本体１の方向を前方と後方とで切り替え、それぞれの場所から視聴できるようにする。また、表示装置本体１の方向に対応して音量、輝度、チャネル等を登録設定し、方向の切り替えとともに、自動的に切り替えることが可能である。【選択図】        図１
2004297164.tif 000002
【特許請求の範囲】
【請求項１】
前面に表示画面を有する平板型表示パネルより構成される表示装置本体と、
前記表示装置本体の前面に配置されてリモコン送信機からのリモコン信号を受光する第１のリモコン受光部と、
前記表示装置本体の背面に配置されてリモコン送信機からのリモコン信号を受光する第２のリモコン受光部と、
前記第１のリモコン受光部及び第２のリモコン受光部によって受光したリモコン信号に基づいて前記表示装置本体を制御する制御部と、
を具備したことを特徴とする表示装置。
【請求項２】
前記リモコン送信機は赤外線リモコン信号の送信機であり、前記第１のリモコン受光部及び第２のリモコン受光部は赤外線リモコンの受光部であることを特徴とする請求項１記載の表示装置。
【請求項３】
前記リモコン信号によって指示される制御コードに対応して前記制御部の制御内容をユーザが設定登録する設定登録手段を有することを特徴とする請求項１記載の表示装置。
【請求項４】
さらに前記表示装置本体の両側部に配置されてリモコン送信機からのリモコン信号を受光する第３のリモコン受光部を具備したことを特徴とする請求項１記載の表示装置。
【請求項５】
前記第１のリモコン受光部によって受信したリモコン信号と前記第２のリモコン受光部によって受信したリモコン信号とを共通の制御コードとして処理することを特徴とする請求項１記載の表示装置。
【請求項６】
前記リモコン信号によって前記表示装置本体の表示画面の切り替え制御を行うことを特徴とする請求項１記載の表示装置。
【請求項７】
前記リモコン信号によって前記表示装置本体の音量の切り替え制御を行うことを特徴とする請求項１記載の表示装置。
【請求項８】
前記リモコン信号によって前記表示装置本体の表示チャネルの切り替えを行うことを特徴とする請求項１記載の表示装置。
【請求項９】
前記表示装置本体にＴＶ受信手段によって受信したＴＶ映像を表示するＴＶ映像入力手段を有することを特徴とする請求項１記載の表示装置。
【請求項１０】
前記表示装置本体にビデオ再生手段によって再生したビデオ映像を表示するビデオ映像入力手段を有することを特徴とする請求項１記載の表示装置。
【請求項１１】
前面に表示画面を有する平板型表示パネルより構成される表示装置本体と、
前記表示装置本体を水平方向に回転可能に支持する支持体と、
前記表示装置本体を回転駆動する駆動手段と、
前記表示装置本体または支持体の前面に配置されてリモコン送信機からのリモコン信号を受光する第１のリモコン受光部と、
前記表示装置本体または支持体の背面に配置されてリモコン送信機からのリモコン信号を受光する第２のリモコン受光部と、
前記第１のリモコン受光部及び第２のリモコン受光部によって受光したリモコン信号に基づいて前記表示装置本体及び駆動手段の少なくとも一方を制御する制御部と、
を具備したことを特徴とする表示装置。
【請求項１２】
前記リモコン送信機は赤外線リモコン信号の送信機であり、前記第１のリモコン受光部及び第２のリモコン受光部は赤外線リモコンの受光部であることを特徴とする請求項１１記載の表示装置。
【請求項１３】
前記リモコン信号によって指示される制御コードに対応して前記制御部の制御内容をユーザが設定登録する設定登録手段を有することを特徴とする請求項１１記載の表示装置。
【請求項１４】
さらに前記表示装置本体の両側部に配置されてリモコン送信機からのリモコン信号を受光する第３のリモコン受光部を具備したことを特徴とする請求項１１記載の表示装置。
【請求項１５】
前記第１のリモコン受光部によって受信したリモコン信号と前記第２のリモコン受光部によって受信したリモコン信号とを共通の制御コードとして処理することを特徴とする請求項１１記載の表示装置。
【請求項１６】
前記リモコン信号によって前記駆動手段を作動させて前記表示装置本体を回転駆動し、前記表示画面の方向を切り替え制御することを特徴とする請求項１１記載の表示装置。
【請求項１７】
前記表示画面の方向を装置の前方に対して少なくとも０°方向と１８０°方向とに切り替え制御することを特徴とする請求項１６記載の表示装置。
【請求項１８】
前記リモコン信号によって指示される制御コードに対応して前記制御部の制御内容をユーザが設定登録する設定登録手段を有し、前記表示画面の方向をユーザが設定登録した角度に切り替え制御することを特徴とする請求項１６記載の表示装置。
【請求項１９】
前記表示画面の複数の方向を予め記憶した記憶手段を有し、前記制御部は前記リモコン信号によって選択された前記複数の方向のうちの１つの方向に前記表示画面の方向を切り替え制御することを特徴とする請求項１６記載の表示装置。
【請求項２０】
前記リモコン信号によって指示される制御コードに対応して前記制御部の制御内容をユーザが設定登録する設定登録手段を有し、前記表示画面の方向に対応付けて前記制御部の制御内容をユーザが設定登録できることを特徴とする請求項１６記載の表示装置。
【請求項２１】
前記リモコン信号によって前記表示装置本体の表示画面の切り替え制御を行うことを特徴とする請求項１１記載の表示装置。
【請求項２２】
前記リモコン信号によって前記表示装置本体の音量の切り替え制御を行うことを特徴とする請求項１１記載の表示装置。
【請求項２３】
前記リモコン信号によって前記表示装置本体の表示チャネルの切り替えを行うことを特徴とする請求項１１記載の表示装置。
【請求項２４】
前記表示装置本体にＴＶ受信手段によって受信したＴＶ映像を表示するＴＶ映像入力手段を有することを特徴とする請求項１１記載の表示装置。
【請求項２５】
前記表示装置本体にビデオ再生手段によって再生したビデオ映像を表示するビデオ映像入力手段を有することを特徴とする請求項１１記載の表示装置。
【発明の詳細な説明】
【０００１】
【発明の属する技術分野】
本発明は、ＴＶ受像装置や各種のモニタ装置として利用できる表示装置に関し、特にリモコンによる操作性を向上した表示装置に関する。
【０００２】
【従来の技術】
従来より、テレビジョン（ＴＶ）受像機を設置する支持体にＴＶ受像機の回転機構を設け、リモコン送信機からの遠隔操作によって回転機構を駆動し、ＴＶ受像機の方向を変化させるようにしたものが提案されている（例えば、特許文献１、２参照）。
このような回転機構付きのＴＶ受像機では、ユーザの位置に応じて最適な方向にＴＶ受像機をリモコン操作し、ユーザの正面に表示画面を向けて視聴できるようになっている。
【０００３】
また、最近では、ＬＣＤやＰＤＰ等による各種の平板型表示装置が急速に普及しつつあり、徐々に高機能化や軽量化、低廉化が進んでおり、さらに有機ＥＬ等の方式による平板型表示装置が次々と開発され、実用化されつつある。
このような背景から、将来は現在以上の用途に幅広く、かつ手軽に応用されることが考えられ、例えば現在用いられている紙製の図表ボードの代わりに表示装置を用いて次々に図表を表示し、学校の講義や小規模の集会に手軽に利用するといったことも予想される。
【０００４】
【特許文献１】
特開平６−３３４９４４号公報
【特許文献２】
特開２００１−２８５７５５号公報
【０００５】
【発明が解決しようとする課題】
ところで、上述のような回転機構付きの表示装置や図表ボードとして用いられる平板型の表示装置を考える場合、表示装置の背面側からの操作が必要となる場合がある。
例えば、回転機構付きの表示装置を２つの部屋の中間において、ユーザが各部屋を移動するたびに、表示装置の変えるような場合には、表示装置の角度を例えば１８０°回転させるような必要性が生じる。
しかしながら、上述した特許文献１、２に示された装置においては、いずれも装置の前方からのリモコン操作でＴＶ受像機を回転させることができる構成であるので、ユーザが大きく居場所を変えてＴＶ受像機を大きく回転させて視聴するような場合に、装置の後ろ側に回ったユーザが継続的にリモコン操作を行うことができず、実用上、不便な場合が生じる。
【０００６】
例えば、最近ではダイニングルームとキッチンとの間にカウンタを設置した間取りが提供されており、このカウンタ上にＴＶ受像機を置いてダイニングルーム側とキッチン側の両方から視聴できるようにした場合、ユーザがダイニングルームにいる時とキッチンにいる時とで表示装置を大きく回転させることが必要となる。
この場合、表示装置がダイニングルーム側に向いた状態でユーザがキッチンに行ってしまった場合、キッチン側からは後ろ向きの表示装置にリモコン操作を行えず、わざわざダイニングルームに戻ってリモコン操作を行う必要があり、ユーザにとっては煩わしいものとなる。
【０００７】
また、上述のように平板型表示装置を図表ボードの代用として用いる場合、図表ボードを説明する講義者や講演者が通常は図表ボードの後ろ側に立って説明を行うことが多いため、表示装置で代用した場合でも、表示装置の後ろに側に立って説明することになり、この場合も、表示装置の後ろ側から操作することが必要となる。
なお、全方位型の無線システムを用いてＴＶ受像機を制御することにより、部屋の中のどこからでもリモート操作できるようにすることも可能であるが、構成が複雑化し、コスト上昇を招くという問題がある。
【０００８】
そこで本発明の目的は、表示画面の前面側と背面側の両方からのリモコン操作を可能とし、安価な構成で利便性に優れた表示装置を提供することにある。
【０００９】
【課題を解決するための手段】
本発明は前記目的を達成するため、前面に表示画面を有する平板型表示パネルより構成される表示装置本体と、前記表示装置本体の前面に配置されてリモコン送信機からのリモコン信号を受光する第１のリモコン受光部と、前記表示装置本体の背面に配置されてリモコン送信機からのリモコン信号を受光する第２のリモコン受光部と、前記第１のリモコン受光部及び第２のリモコン受光部によって受光したリモコン信号に基づいて前記表示装置本体を制御する制御部とを具備したことを特徴とする。
【００１０】
また本発明は、前面に表示画面を有する平板型表示パネルより構成される表示装置本体と、前記表示装置本体を水平方向に回転可能に支持する支持体と、前記表示装置本体を回転駆動する駆動手段と、前記表示装置本体または支持体の前面に配置されてリモコン送信機からのリモコン信号を受光する第１のリモコン受光部と、前記表示装置本体または支持体の背面に配置されてリモコン送信機からのリモコン信号を受光する第２のリモコン受光部と、前記第１のリモコン受光部及び第２のリモコン受光部によって受光したリモコン信号に基づいて前記表示装置本体及び駆動手段の少なくとも一方を制御する制御部とを具備したことを特徴とする。
【００１１】
本発明の表示装置では、表示画面の前面側と背面側の両方にリモコン受光部を設け、両方向からのリモコン操作によって表示装置に各種の制御を実行させることができる。
したがって、例えば、表示装置を講演や講義等の際の表示ボードとして用いる場合に、表示装置の後方から画面の切り替え等を操作して説明を行うことができ、簡易で安価な構成により、実用価値の高い便利な表示装置を提供することが可能である。
また、表示装置本体の回転機構を有する構成において、前面側と背面側の両方向からリモコン操作を行い、表示装置本体の回転を実行させて画面の方向を切り替えることができるので、複数の場所から表示画面を視聴する場合に、表示装置の後方からでも表示画面の方向を切り替えさせることができ、簡易で安価な構成により、実用価値の高い便利な表示装置を提供することが可能である。
【００１２】
【発明の実施の形態】
以下、本発明による表示装置の実施の形態例について説明する。
図１及び図２は本発明の実施の形態例による回転機構付き表示装置を示す図であり、図１は正面図、図２は背面図である。
図示のように、本例の表示装置は、表示装置本体１、回転台（支持体）３、及びリモコン送信機８を有する。
表示装置本体１は、例えばＬＣＤや有機ＥＬ等を用いた方形平板型の表示パネル（フラットパネルディスプレイ）として構成されており、前面に表示画面２を有している。
そして、この表示装置本体１の下側部には前面側に第１のリモコン受光部４が設けられ、背面側に第２のリモコン受光部１０が設けられている。
また、回転台３は例えばドーム型に形成され、中心に表示装置本体１を支持する支持軸が設けられ、表示装置本体１を水平方向に回転可能に支持している。また、回転台３には、回転駆動機構が設けられており、支持軸を回転させることで、表示装置本体１の方向を切り替え制御するようになっている。
また、図では省略しているが、回転台３にはＴＶチューナ装置が内蔵されており、また、外部接続によってビデオ再生装置等が接続され、これらの機器から入力された各種の映像を表示装置本体１に表示する。これらの操作は、リモコン送信機８からリモコン受光部４、１０にリモコン信号を送ることにより、リモコン操作で行えるようになっている。
【００１３】
リモコン送信機８は、赤外線によるリモコン信号５をリモコン受光部４、１０に送り、リモコン信号５に含まれる制御コードによって各種動作を実行させるものであり、特に本例においては、回転駆動機構によって表示装置本体１の方向を切り替え、図１に示す前向きの状態（回転角度０°状態）と図２に示す後ろ向きの状態（回転角度１８０°状態）とに切り替える制御を含んでいる。
本例では、リモコン送信機８とリモコン受光部４、１０との通信媒体に赤外線を用いることにより、簡単で安価な構成を実現している。また、前後のリモコン受光部４、１０について共通の制御コードを使うものとし、前方からのリモコン操作と後方からのリモコン操作とでキー操作は共通となる。
このような構成により、前後両方からリモコン操作を行い、表示装置本体１の方向を前方と後方とで切り替え、それぞれの場所から視聴できるようになる。特に本例では、回転方向を前方と後方に限定したことで、極めて簡単な構成、制御、操作で実現でき、安価な装置を構成した例である。
【００１４】
また、本例では、予め設定されるコード（例えば「＃１」で前向き、「＃２」で後向き等）とキー入力することにより、簡易操作で画面の方向を切り替えるようになっている。このように本例では、表示装置本体１の角度を予め設定しておくことで、例えば所望の角度に回転するまでキーを押し続けるような手間がなくなり、簡単に操作が可能となる。
なお、その他のチャネル切り替え等は通常のＴＶ操作を同様であるものとする。ただし、このような入力方法は、極めて多様な形態が可能であり、例えば特定のコードを操作する毎に、１８０°毎の回転を繰り返すような方式とすることも可能である。
【００１５】
次に、本例の表示装置（ＴＶ装置）の使用例について説明する。
図３は本例の第１の使用例を示す説明図である。
図示の例は、ダイニングキッチン（料理を作りその部屋で食事もできる部屋）やリビングダイニングキッチン（料理を作り、その部屋で食事も、くつろぐこともできる部屋）でキッチンスペース１３で料理をしながらＴＶを視聴した後、ダイニングスぺース１２で食事をしながらＴＶを視聴する場合に、ダイニングスペース１２からリモコン送信機８を操作する必要があるが、ＴＶの後面であっても、本例によりリモコン送信機８の操作キーを１回または数回押すだけで、ＴＶの向きを反転できる。
図４は本例の第２の使用例を示す説明図である。
図示の例は、さらにキッチンスペース１３で料理をしながらＴＶを視聴した後、リビングスペース１５でくつろぎながら、ＴＶを視聴する場合に、リビングスペース１５からリモコン送信機８を操作する必要があるが、ＴＶの後面であっても、本例によりリモコン送信機８の操作キーを１回または数回押すだけで、ＴＶの向きを反転できる。
【００１６】
図５は本例におけるリモコン送信機８の回路構成を示すブロック図であり、図８は本例におけるリモコン送信機８の外観を示す平面図である。
図５において、本例のリモコン送信機８は、種々のキーがマトリクス状に配置されているキーマトリックス１８と、このキーマトリックス１８で押圧されたキーを判別し、そのキーに対応した送信コードの変調信号ＳＭＤを出力するリモコンＩＣ１７と、赤外線発光ダイオード２７と、このダイオード２７と直接に接続され、上述の変調信号ＳＭＤによってオン・オフ制御されるＮＰＮ型トランジスタ２８とを有している。
また、リモコンＩＣ１７は、全体の動作を制御する制御部２３と、キーマトリックス１８でキーが押圧されているか否か、つまりキー入力があるか否かを検出するとともに、押圧されているキーを判別するキーデコーダ１９と、このキーデコーダ１９で得られるキー判別信号に基づき、押圧されたキーに対応した送信コードＳＣＤを出力するデータエンコーダ２０とを有している。
ここで、キーデコーダ１９で得られるキー入力検出信号およびキー判別信号は制御部２３に供給され、後述するデータエンコーダ２０の送信コードＳＣＤの出力動作の制御等に使用される。
【００１７】
また、リモコンＩＣ１７は、リモコンＩＣ１７の駆動用のクロック信号を得るため発振器２４と、この発振器２４で得られるクロック信号を分周してキャリア信号を発生するキャリア信号発生器２５と、キャリア信号発生器２５で発生されるキャリア信号ＳＣＡを、データエンコーダ２０より出力されるＳＣＤで変調して変調信号ＳＭＤを得る変調器２１と、この変調信号ＳＭＤを増幅して出力する増幅器２２とを有している。
ここで、発振器２４の発振動作は制御部２３によって制御される。発信器２４は、通常は発振が停止した状態におかれるが、キーデコーダ１９でキー入力が検出されることで発振が開始するようにされる。また、発振器２４には、セラミック発振子２６が外付けされ、安定した発振が行われるようにされている。
【００１８】
図８において、リモコン送信機８の操作面には被制御機器であるＴＶ装置を操作する複数のキーが配置されている。キーとしては、テレビ／ビデオ切換キー３５、明るさ切換キー３６、電源キー４０、チャンネル番号を選択する複数のチャンネル選択キー３９、音量を調整する音量アップ／ダウンキー３７、受信チャンネルを順次選択するチャンネルアップ／ダウンキー３８が配置されている。
また、このリモコン送信機８においては、押圧されたキーが検出され、そのキーに対応した送信コードが発生され、その送信コードに対応した赤外線が赤外線出力部３４より出力される。
なお、リモコン送信機の構成としては、種々採用することが可能であり、特に限定しないものとする。
【００１９】
図６は本例の表示装置（ＴＶ装置）の回路構成を示すブロック図である。
動作制御部３１はマイクロコンピュータ等を用いて構成されており、この動作制御部３１には第１のリモコン信号受信部４と第２のリモコン信号受信部１０が接続される。動作制御部３１では、リモコン信号受信部４のリモコン受信信号ＲＭ１またはリモコン信号受信部１０のリモコン受信信号ＲＭ２に基づいて、所定の動作制御が行われる。
また、動作制御部３１には不揮発性メモリ部２９が接続されており、不揮発性メモリ部２９には動作終了時のチャンネル番号や（ラストチャンネル）や音量等のＴＶ装置の動作状態に関する情報が記憶される。さらに、本例では、不揮発性メモリ部２９に回転位置毎のユーザ設定値が記憶される。ユーザ設定値としては、例えば、明るさや音量などが考えられ、ＴＶ装置の回転角度位置に対応して設定登録することも可能である。
このため、動作制御部３１では、動作制御部３１で制御される回転駆動制御回路３３による回転位置の変化に合わせて、不揮発性メモリ部２９に記憶された回転位置毎のユーザ設定値を参照し、この値でＴＶの制御内容を切り替えることができる。
ＴＶ装置はモータＭによって回転駆動される回転台３上に載置されており、動作制御部３１による回転駆動制御により出力回路３２を通じて回転駆動制御回路３３を制御することで、モータＭによる回転駆動が可能となる。
【００２０】
図７は本例における表示装置（ＴＶ装置）の基本動作の具体例を示すフローチャートである。
例えば、背面側のリモコン信号受信部１０でリモコン送信機８からの信号５を受信すると（ステップＳ１）、動作制御部３１による回転駆動制御により出力回路３２を通じて回転駆動制御回路３３を制御し、モータＭによる回転駆動を行う（ステップＳ２）。
ここで、予め設定された回転位置、例えば１８０度（反転）の回転位置まで駆動されたかどうかを動作制御部３１で判断し（ステップＳ３）、回転位置まで駆動された場合は、動作制御部３１による回転駆動制御により出力回路３２を通じて回転駆動制御回路３３を制御し、モータＭによる回転駆動を停止させる（ステップＳ４）。
また、回転位置まで駆動されていない場合には、ステップＳ２に戻る。
【００２１】
以上の動作を行うことで、リモコン送信機８からの信号をＴＶ装置の後面に設けられているリモコン受信部１０で受けた場合に、設定された回転位置、例えば、元の位置に対して１８０度回転（反転）させることができるので、簡単に生活シーンに合わせてＴＶ装置の向きを反転させることができる。
また、リモコン送信機８からの信号をＴＶ装置の後面に設けられているリモコン受信部１０で受けた場合に、リモコン送信機８に配置されているキー毎の所定の動作についても行うことで、例えば、リモコン送信機８に配置されている電源キー４０を押した場合であれば、後ろ向きになっていたＴＶ装置を前向きに向けるとともに、電源のオンが可能となるので、さらに使い勝手が向上する。
【００２２】
なお、以上の実施の形態例は本発明の一例であり、本発明は特許請求の範囲に記載した主旨の範囲で種々変形が可能である。
例えば、上述した例では、表示装置本体１の前向きと後ろ向きの１８０°の回転を行う構成について説明したが、例えば３０°ずつ方向を変えるような構成とすることも可能である。また、この際、回転方向を＋キーや−キーによって指定するような構成として、効率的に所望の方向に切り替えるような構成とすることも可能である。また、表示装置本体１の角度を予め不揮発性メモリ等の記憶手段に格納しておき、制御コードで指定するような構成としてもよい。
また、表示装置本体１の向きに合わせて、表示条件（音量、明度、チャネル等）をユーザが設定登録テーブルに設定登録できるようにし、方向の切り替えと同時に所望の表示条件に合わせた表示を行うような構成としてもよい。図９は、設定登録テーブルの一例を示しており、制御コードに対応して、角度、音量、輝度、チャネル等の各項目をリモコン送信機８からの所定の手順による登録処理によって登録できるようになっている。なお、横棒は、非設定を示している。
例えば、キッチンで作業するときと、リビングで休息するときとで、必要な音量等は異なるので、予めユーザが登録しておくことで、方向の切り替えだけで表示条件の切り替えも行えるようにし、極めて便利な機能を実現できる。
さらには、リモコン送信機をＴＶの裏側に向けて、例えばリモコン送信機の電源キーを押すだけで、電源をオンするとともにＴＶの向きを変え、場所に応じた明るさや音量に変更するような構成とすることもできる。
【００２３】
また、例えば、上述した例では、リモコン受光部を表示装置本体に設けたが、支持体側に設けることも可能である。この場合にも、表示装置の前方と後方の双方からリモコン送信機によってリモコン操作を行うことが可能となる。
また、リモコン受光部を前面と後面に設けたが、これらに加えて両側部に設けてもよい。すなわち、前面に設けた第１のリモコン受光部と裏面に設けた第２のリモコン受光部の他に、両側にそれぞれ第３のリモコン受光部を設け、側部からのリモコン信号を受光して同様の動作を行うことが可能である。この場合、リモコン受光部の数が増えた分、コストは増加するが、より全方位的なリモコン制御が可能となり、表示装置の前後だけでなく、横側からのリモコン操作が可能となる。
また、コスト面からみれば、上述した例のようにリモコン受光部を固定的に設けることが有利であるが、例えば表示装置本体や支持体にヒンジ部を介して水平方向に回動可能に取り付けられた首振り部材にリモコン受光部を設けることにより、この首振り部材の角度を調整することで、リモコン受光部の角度を調節し、ある程度、間取り等の使用環境に合わせて必要な受光角度に設定できるようにすれば、さらに利便性の高い装置を構成することが可能となる。
これらの変形は、生産コストや市場のニーズ等を考慮して適宜選択することができる。
【００２４】
また、上述した例では、回転機構を有する支持体上に表示装置本体を支持する構成例について説明したが、軽量化された薄型表示装置本体を支持体によって吊り下げるような支持構造の表示装置についても同様に適用できるものである。
また、上述した例では、回転機構を有する支持体に表示装置本体を設置して画面の方向を切り替える表示装置について説明したが、回転機構を持たない表示装置の前面や背面（さらには両側部）にリモコン受光部を設け、上述した図表ボードとして用いることができる表示装置を構成することも可能である。
すなわち、表示装置の表示等をリモコン操作によって後方や側方から切り替えながら、説明等を行うような用途に用いることが可能であり、安価な構成で利便性に優れた表示装置を提供できる。もちろん、上述した回転機構を有する表示装置を用いて図表ボード等に代用することも可能である。
また、ＴＶ受信機能を持たない表示装置として構成できることももちろんである。
【００２５】
【発明の効果】
以上説明したように本発明の表示装置によれば、表示画面の前面側と背面側の両方にリモコン受光部を設け、両方向からのリモコン操作によって表示装置に各種の制御を実行させることができるので、例えば、表示装置を講演や講義等の際の表示ボードとして用いる場合に、表示装置の後方から画面の切り替え等を操作して説明を行うことができ、簡易で安価な構成により、実用価値の高い便利な表示装置を提供することが可能である。
また、本発明の表示装置によれば、表示装置本体の回転機構を有する構成において、前面側と背面側の両方向からリモコン操作を行い、表示装置本体の回転を実行させて画面の方向を切り替えることができるので、複数の場所から表示画面を視聴する場合に、表示装置の後方からでも表示画面の方向を切り替えさせることができ、簡易で安価な構成により、実用価値の高い便利な表示装置を提供することが可能である。
【図面の簡単な説明】
【図１】本発明の実施の形態例による表示装置を示す正面図である。
【図２】本発明の実施の形態例による表示装置を示す背面図である。
【図３】図１及び図２に示す表示装置の第１の使用例を示す説明図である。
【図４】図１及び図２に示す表示装置の第２の使用例を示す説明図である。
【図５】図１及び図２に示す表示装置で用いるリモコン送信機の回路構成を示すブロック図である。
【図６】図１及び図２に示す表示装置の回路構成を示すブロック図である。
【図７】図１及び図２に示す表示装置の基本動作の具体例を示すフローチャートである。
【図８】図１及び図２に示す表示装置で用いるリモコン送信機の外観を示す平面図である。
【図９】図１及び図２に示す表示装置で用いる設定登録テーブルの一例を示す説明図である。
【符号の説明】
１……表示装置本体、２……表示画面、３……回転台、４……第１のリモコン受信部、８……リモコン送信機、１０……第２のリモコン受信部。
【図１】
2004297164.tif 000003
【図２】
2004297164.tif 000004
【図３】
2004297164.tif 000005
【図４】
2004297164.tif 000006
【図５】
2004297164.tif 000007
【図６】
2004297164.tif 000008
【図７】
2004297164.tif 000009
【図８】
2004297164.tif 000010
【図９】
2004297164.tif 000011